(57)【要約】【課題】記録再生装置に記録したフォルダのデータ量やフォルダを作成してからの時間等の値が、ある決められた一定量または一定時間になった場合に、それを検出及びユーザに通知することにより、情報管理を容易にする。【解決手段】管理情報記憶手段１０３は第１の記録再生装置に記録されているフォルダに関する管理情報を検知し記憶する。この管理情報にはフォルダを作成してからの経過時間、フォルダ内のコンテンツ数等が含まれる。特定情報記憶手段１０４はフォルダを特定するための特定情報を記憶する。この特定情報にはユーザにより設定された経過時間、コンテンツ数等が含まれる。情報データ比較手段１０５は管理情報記憶手段１０３により記憶されている管理情報と、特定情報記憶手段１０４により記憶されている特定情報とを比較し比較結果を提供する。フォルダ状態表示手段１０６は前記比較結果をユーザに通知する。【選択図】    図２
2004213060.tif 000002
【特許請求の範囲】
【請求項１】
データの記録部と、
前記記録部に記録されているデータを管理するためのフォルダに関する管理情報を記憶する管理情報記憶手段と、
前記フォルダを特定するための特定情報を記憶する特定情報記憶手段と、
前記管理情報記憶手段により記憶されている管理情報と、前記特定情報記憶手段により記憶されている特定情報とを比較する比較手段と、
前記比較手段の比較結果を通知する通知手段と、
を具備したことを特徴とする記録装置。
【請求項２】
前記管理情報記憶手段は前記記録部に前記フォルダが作成されたときからの経過時間を記憶し、前記特定情報記憶手段は経過時間設定値を記憶し、前記作成されたときからの経過時間が前記経過時間設定値を超えた場合、その旨が前記通知手段により通知されることを特徴とする請求項１記載の記録装置。
【請求項３】
前記管理情報記憶手段は、前記記録部に格納されたフォルダ内に記録されたデータの量を記憶し、前記特定情報記憶手段はデータ量設定値を記憶し、前記データの量が前記データ量設定値を超えた場合、その旨が前記通知手段により通知されることを特徴とする請求項１記載の記録装置。
【請求項４】
前記管理情報記憶手段は前記記録部に格納されたフォルダ内に記録されたコンテンツの数を記憶し、前記特定情報記憶手段はコンテンツ数設定値を記憶し、前記コンテンツの数が前記コンテンツ数設定値を超えた場合、その旨が前記通知手段により通知されることを特徴とする請求項１記載の記録部。
【請求項５】
前記フォルダの状態を表示するための表示データを提供するフォルダ状態表示手段を具備し、該フォルダ状態表示手段は前記通知手段により通知される前記比較結果に応じて、該当フォルダの点滅させることを特徴とする請求項１記載の記録装置。
【請求項６】
前記記録部に格納されたフォルダの状態を表示するための表示データを提供するフォルダ状態表示手段を具備し、該フォルダ状態表示手段は前記通知手段により通知される前記比較結果に応じて、該当フォルダの色を変化させることを特徴とする請求項１記載の記録装置。
【請求項７】
前記記録部に格納されたフォルダの状態を表示するための表示データを提供するフォルダ状態表示手段を具備し、該フォルダ状態表示手段は前記通知手段により通知される前記比較結果に応じて、該当フォルダの形状を変化させることを特徴とする請求項１記載の記録装置。
【請求項８】
第１の記録部と、
第２の記録部と、
前記第１の記録部に記録されているフォルダに関する管理情報を検知し記憶する管理情報記憶手段と、
前記第２の記録部の記録媒体に記録可能な容量の情報を含み、前記フォルダを特定するための特定情報を記憶する特定情報記憶手段と、
前記管理情報記憶手段により記憶されている管理情報と、前記特定情報記憶手段により記憶されている特定情報とを比較する比較手段と、
前記比較手段の比較結果を通知する通知手段と、
を具備したことを特徴とする記録装置。
【請求項９】
前記第２の記録部の記録媒体に記録可能な容量を検出し記憶する記録可能容量検出記憶手段を具備し、前記特定情報記憶手段は該記録可能容量検出記憶手段により検出された前記記録可能な容量を前記特定情報として記憶することを特徴とする請求項１０記載の記録装置。
【請求項１０】
データを管理するためのフォルダに関する管理情報を第１のテーブルに記憶するステップと、
前記フォルダを特定するための特定情報を第２のテーブルに記憶するステップと、
前記管理情報と前記特定情報とを比較するステップと、
前記比較ステップによる比較結果を通知するステップと、
を具備したことを特徴とするデータ管理方法。
【発明の詳細な説明】
【０００１】
【発明の属する技術分野】
この発明は、例えば複数の記録再生部を有し、映像及び音声等のコンテンツを第１の記録再生部の記録媒体から第２の記録再生部の記録媒体へ、移動／コピーする記録再生装置に関する。
【０００２】
【従来の技術】
近年では、ＭＰＥＧ圧縮方式により圧縮した映像及び音声等のコンテンツをＤＶＤ（Digital Versatile Disk）−ＲＡＭ等の記録可能な光ディスクに記録する光ディスクドライブ、又はそのようなコンテンツをハードディスクに記録するＨＤＤ(hard disk drive)等の記録再生部を複数具備する記録再生装置が普及し始めている。
【０００３】
このような記録再生装置では、一般にＨＤＤに記録したコンテンツを光ディスクドライブ内の光ディスクへ、又は光ディスクドライブ内の光ディスクに記録したコンテンツをＨＤＤに移動／（又は）コピーすることができる。
【０００４】
光ディスクドライブでは、ディスクを交換することにより情報を無制限に記録することができる。しかしＨＤＤでは情報記録容量は限られている。従って、ＨＤＤに記録された情報の中で、不要となった情報を削除するために、記録情報の管理が必要となる。
【０００５】
特開２００１−１６００５２号公報（第４頁、図１）には、このように不要となった情報を削除するための文書管理システムが開示されている。この公報では、文書ファイルの保管期限、参照期限、参照回数等の文書管理条件が設定される。この文書管理条件を満足する文書が判定され、判定結果リストとして表示される。この判定結果リストを参照してユーザは不要な文書をを削除できる。
【０００６】
【特許文献１】
特開２００１−１６００５２号公報（第４頁、図１）
【０００７】
【発明が解決しようとする課題】
上記した従来公報では、検索ボタンを選択して文書情報と文書整理条件との照合を装置に行わせ、判定結果リストを表示しなければならない。従って、文書整理条件に合致する文書が多数ある場合でも、検索ボタンを選択しない限りユーザはそれら文書をユーザは認識することはできない。
【０００８】
従って本発明は、記録装置に記録したデータを管理するためのフォルダに関する管理情報が、ある決められた条件に合致した場合に、それを検出及びユーザに通知することにより、情報管理を容易にすることを目的とする。
【０００９】
【課題を解決するための手段】
上記目的を達成するために本発明の一実施形態に係る記録装置は、データの記録部と、前記記録部に記録されているデータを管理するためのフォルダに関する管理情報を記憶する管理情報記憶手段と、前記フォルダを特定するための特定情報を記憶する特定情報記憶手段と、前記管理情報記憶手段により記憶されている管理情報及び前記特定情報記憶手段により記憶されている特定情報とを比較する比較手段と、前記比較手段の比較結果を通知する通知手段とを具備する。
【００１０】
記録装置内に作成されたフォルダに対し、フォルダの記録データ量や、フォルダ生成からの時間、フォルダ内のコンテンツ数が、ある決められた一定量、一定時間になった場合に、それを自動検出し結果をユーザーに通知することできる。
【００１１】
【発明の実施の形態】
図面を参照しながら本発明の実施の形態について詳細に説明する。以下に示す説明はこの発明の実施の形態であって、この発明の装置及び方法を限定するものではない。
【００１２】
図１は本発明が適用される録画再生装置の構成を示すブロック図である。この録画再生装置１は、ハーディスクドライブ（ＨＤＤ）２０と、ビデオファイルを構築できる情報記憶媒体である光ディスク１０を回転駆動して情報の読み書きを実行するディスクドライブ３５と、録画側を構成するエンコーダ部５０と、再生側を構成するデコーダ部６０と、装置本体の動作を制御するマイクロコンピュータブロック３０とを主たる構成要素としている。
【００１３】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００１４】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００１５】
データプロセッサ３６は、マイクロコンピュータブロック３０の制御に従って、エンコーダ部５０から出力されたＤＶＤ記録データをディスクドライブ３５に供給したり、光ディスク１０から再生したＤＶＤ再生信号をディスクドライブ３５から取り込んだり、光ディスク１０に記録された管理情報を書き替えたり、光ディスク１０に記録されたデータの削除をしたりする。
【００１６】
マイクロコンピュータブロック３０は、ＭＰＵ（マイクロプロセシングユニット）３０ａと、制御プログラム等が書き込まれたＲＯＭ３０ｂと、プログラム実行に必要なワークエリアを提供するためのＲＡＭ３０ｃとを含んでいる。
【００１７】
ＭＰＵ３０ａはＲＯＭ３０ｂに格納された本発明を含む制御プログラムに従い、ＲＡＭ３０ｃをワークエリアとして用いて、編集、欠陥場所検出、未記録領域検出、録画情報記録位置設定、ＵＤＦ記録、ＡＶアドレス設定等を実行する。
【００１８】
デコーダ部６０は、パック構造を持つ映像情報から各パックを分離して取り出すセパレータ６２と、パック分離やその他の信号処理実行時に使用するメモリ６３と、セパレータ６２で分離された主映像データをデコードするＶデコーダ、セパレータ６２で分離された副映像データをデコードするＳＰデコーダ、セパレータ６２で分離されたオーディオデータをデコードするＡデコーダによって構成されるデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００１９】
ビデオプロセッサ６６の出力は、ビデオミクサー７１に入力される。ビデオミクサー７１では、テキストデータの合成が行われる。またビデオミクサー７１には、ＴＶチューナ４４やＡ／Ｖ入力部４２からの信号を直接取り込むラインも接続されている。ビデオミクサー７１には、バッファとして用いるフレームメモリ７２が接続されている。ビデオミクサー７１の出力がデジタル出力の場合は、インターフェース（Ｉ／Ｆ）７３を介して外部へ出力される。また、ビデオミクサー７１の出力がアナログ出力の場合は、ＤＡＣ７４を介して例えばＴＶモニタ等の表示装置へ出力される。
【００２０】
Ａデコーダの出力をデジタル出力する場合は、インターフェース（Ｉ／Ｆ）７５を介して外部へ出力される。また、Ａデコーダの出力をアナログ出力する場合は、セレクタ７６を介してＤＡＣ７７でアナログ変換され、オーディオアンプを介してスピーカまたはＴＶモニタに出力される。セレクタ７６は、マイクロコンピュータブロック３０からのセレクト信号に応じて、ＴＶチューナ４４やＡ／Ｖ入力部４２からＡＤＣ５２を介して入力される信号とデコーダ群６４から入力される信号の一方を選択して出力する。
【００２１】
キー入力部１１は例えば装置本体及びリモコン上に設けられ、再生（ＰＬＡＹ）、停止（ＳＴＯＰ）、録画（ＲＥＣ）、スキップ（Ｓｋｉｐ）、早送り（ＦＦ）、逆送り（Ｒｅｗ）、スロー（Ｓｌｏｗ）エンターキー、方向キー等のボタンを有する。このボタンを押下することによりユーザは本録画再生装置を操作し、ＨＤＤ２０又は録画可能光ディスク１０に対して録画、再生できる。又ユーザはＨＤＤに録画された映像データを光ディスク１０にコピー又は移動できる。
【００２２】
以下、本発明によるフォルダ管理機能について詳細に説明する。ここで、フォルダとは、ディスク内に記録されているファイル形式のデータをユーザが見やすいように管理するための仮想的なフォルダをいい、以下、単にフォルダという。
【００２３】
図２は本発明の第１の実施形態に係る記録再生装置１ａのフォルダ管理機能を具体的に説明するための機能ブロック図の１例である。ここでは図１に示したような記録再生装置に本実施形態を適用した場合を説明するが、本発明はパソコン等ファイルを管理するあらゆるシステムに適用できる。
【００２４】
本実施形態では、記録再生装置内に作成されたフォルダに対し、フォルダのデータ量や、フォルダ作成からの時間、フォルダ内のコンテンツ数等が、ある決められた一定量、一定時間になった場合それを検出し、検知結果がユーザーに通知される。
【００２５】
管理情報記憶手段１０３は管理情報テーブル９０を含み、第１の記録再生装置２０に記録されている各フォルダの記録日時、データ量などの各フォルダの状態を示す管理情報を検知及び記憶する。第１の記録再生装置２０は例えば図１のＨＤＤ２０に対応する。特定情報記憶手段１０４は特定情報テーブル１００を含み、フォルダを特定するための予め用意された特定情報を記憶する。情報データ比較手段１０５は、管理情報テーブル９０に記憶されている管理情報と、特定情報テーブル１００に記憶されている特定情報とを比較し、フォルダ状態表示手段１０６に結果出力の指示を出力する。フォルダ状態表示手段１０６は、情報比較手段１０５からの指示により、ユーザーに対しフォルダの状態を通知する。
【００２６】
管理情報記憶手段１０３、特定情報記憶手段１０４、情報比較手段１０５、フォルダ状態表示手段１０６は、マイクロコンピュータブロック３０が具備するメモリを用いてプログラム及びデータテーブルとして構築できる。尚、管理情報テーブル９０及び特定情報テーブル１００は第１の記録再生装置２０内に設けてもよい。
【００２７】
図３は管理情報記憶手段１０３により管理される管理情報テーブル９０の構成例を示す。「フォルダＩＤ」は第１の記録再生装置に記録された各フォルダの識別番号である。「フォルダ時間」はフォルダが作成されてから現在までの経過時間、又はフォルダが使用されていない時間を示す。ここではフォルダが使用されていない時間とする。つまりフォルダがコンテンツの記録又は再生又は編集に使用されていない時間とする。「データ量」は各フォルダに記録された１以上のコンテンツの総データ量を示し、ここでは再生時間（ｈ）を単位として表される。勿論このデータ量はバイト(byte)単位で表してもよい。「コンテンツ数」は各フォルダに記録されたコンテンツの数を示す。データ量及びコンテンツ数等はコンテンツが記録あるいは削除される毎に更新される。
【００２８】
コンテンツはテレビ番組又は１本の映画等の映像データを示し、例えばフォルダＦ１には１つのドラマ番組が１コンテンツとして１又は複数のコンテンツが記録され、フォルダＦ２には１本の映画番組が１コンテンツとして１又は複数のコンテンツが記録される。
【００２９】
次に本実施形態の動作を具体的に説明する。本発明によるフォルダ管理方法は、第１の記録再生装置２０に格納された全フォルダのうち選択されたフォルダについてのみ行うこともできるし、全フォルダについて行うこともできる。
【００３０】
先ず、選択されたフォルダについてのみフォルダ管理を行う場合を説明する。本実施形態では、例としてフォルダＦ１を選択してフォルダ管理が行われる。図３のように管理情報テーブル９０にて、フォルダＦ１の現在の管理情報が、フォルダ時間（不使用時間）＝１.０ヶ月、データ量＝２.０ｈ、コンテンツ数＝２個となっているものとする。
【００３１】
第１に、特定情報のフォルダ時間（不使用時間）１０９を設定し通知を行う場合を説明する。ユーザは例えばＴＶモニタに表示された図４のような特定情報設定画面を参照しながらキー入力部１１を用いて、フォルダＩＤをここではＦ１、フォルダ時間を例えば２.０ヶ月として入力し、「フォルダ時間」のチェック欄にチェックを記入する。特定情報記憶手段１０４は、ユーザから入力されたフォルダ時間を特定情報テーブル１００にフォルダ時間設定値１０９として格納し、チェックフラグ１０９ａを立てる。尚、図４に示される「コンテンツ時間」はコンテンツが使用されていない時間を示し、例えば、１つのコンテンツがフォルダに記録されてから、一度も再生用に使用されていない時間を示す。このコンテンツ時間は、フォルダ内の各コンテンツについて判断される。
【００３２】
情報比較手段１０５は、管理情報テーブル９０に格納されている現在のフォルダＦ１のフォルダ時間（１.０ヶ月）と、特定情報テーブル１００に設定されているフォルダＦ１のフォルダ時間設定値（２.０ヶ月）とを比較する。ここでフォルダＦ１のフォルダ時間（１.０ヶ月）は、フォルダ時間設定値（２.０ヶ月）を下回っているため、情報比較手段１０５は、何もアクションを起こさない。
【００３３】
ここで時間が経過し、フォルダＦ１への新たなコンテンツの入力が無く、管理情報テーブル９０のフォルダ時間が２.０ヶ月を上回ると、情報比較手段１０５は、それを自動的に検出し、ユーザーに通知するためにフォルダ状態表示手段１０６に対して、通知の指示を出力する。
【００３４】
フォルダ状態表示手段１０６は、情報比較手段１０５からの通知指示によりユーザーに対し、フォルダＦ１の不使用時間が、設定値（２.０ヶ月）を上回ったことを通知するアクションを実行する。例えばフォルダ状態表示手段１０６は、フォルダＦ１の不使用時間が設定値を上回ったことを示す画像表示データを生成する。この画像は例えば図５（ａ）のフォルダＦ１のように該当フォルダを他のフォルダとは異なる色で表示するものでもよいし、図５（ｂ）のように形を変えたものでもよいし、点滅させるものでもよい。ユーザはこのような画像を参照して、不要と判断したフォルダを削除又はディスク１０のような他の記録媒体に移動することができる。また、このようにして検出されたフォルダを自動削除してもよい。
【００３５】
尚、図５のようなフォルダの一覧表示は、ユーザが第１の記録再生装置２０に記録されたコンテンツの１つを選択して再生する場合、あるいはコンテンツを記録する場合等に、キー入力部１１の例えばメニューキー（図示されず）を押すことにより表示される画像である。
【００３６】
もし特定情報テーブル１００に記憶されているフォルダ時間１０９が示す不使用時間（２.０ヶ月）以内に、フォルダＦ１に例えば新たにコンテンツの入力が行われた場合、管理情報テーブル９０に記憶されている管理情報（フォルダ時間）は、０（ヶ月）にクリアされる。
このように本実施形態によれば、設定された期間フォルダに対してデータ入力あるいはデータの参照がないことを検出し、通知することができる。従って不要となったフォルダが速やかに検出され、ユーザはそのフォルダを削除又は他の記録媒体に移動できるので、第１の記録再生装置を有効に使用することができる。
【００３７】
第２に、特定情報としてフォルダのデータ量を設定し通知を行う場合を説明する。ユーザは例えばＴＶモニタに表示された図６のような特定情報設定画面を参照しながらキー入力部１１を用いて、フォルダＩＤをここではＦ１、フォルダに記録される総データ量を例えば３．０ｈとして入力し、データ量のチェック欄にチェックを記入する。特定情報記憶手段１０４はユーザから入力されたデータ量を特定情報テーブル１００にデータ量設定値１１０として格納し、チェックフラグ１１０ａを立てる。
【００３８】
情報比較手段１０５は、管理情報テーブル９０に格納されているフォルダＦ１の現在のデータ量（１.０ヶ月）と、特定情報テーブル１００に設定されているフォルダＦ１のデータ量設定値（３.０）とを比較する。ここでフォルダＦ１の現在のデータ量（１.０ヶ月）は、データ量設定値１１０（２.０ヶ月）を下回っているため、情報比較手段１０５は、何もアクションを起こさない。
【００３９】
この後、フォルダＦ１に容量１.５ｈの新たなコンテンツが追加記録された場合、フォルダデータ量合計が３.５ｈとなる。情報比較手段１０５は、フォルダ1のデータ量が３.０ｈを上回ったことを自動検出し、そのことをユーザーに通知するために、フォルダ状態表示手段１０６に対して、通知の指示を出力する。
【００４０】
フォルダ状態表示手段１０６は、情報比較手段１０５からの通知指示により、ユーザーに対しフォルダＦ１のデータ量が設定値を上回ったことを示す図５のような画像表示データを生成する。
ユーザはこのような画像を参照することにより、所定データ量になったフォルダを例えばディスクドライブ３５のディスク１０のような他の記録媒体に移動できるので、第１の記録再生装置を有効に使用することができる。
【００４１】
第３に、特定情報として、コンテンツ数１１１を設定し通知を行う場合を説明する。ユーザは例えばＴＶモニタに表示された図７のような特定情報設定画面を参照しながらキー入力部１１を用いて、フォルダＩＤをここではＦ１、フォルダに記録されるコンテンツ数を例えば３個として入力し、コンテンツ数のチェック欄にチェックを記入する。特定情報記憶手段１０４はユーザから入力されたコンテンツ数を特定情報テーブル１００にコンテンツ数設定値１１１として格納し、チェックフラグ１１１ａを立てる。
【００４２】
情報比較手段１０５は、管理情報テーブル９０に格納されているフォルダＦ１の現在のコンテンツ数（２個）と、特定情報テーブル１００に設定されているフォルダＦ１のコンテンツ数設定値（３個）とを比較する。ここでフォルダＦ１の現在のコンテンツ数（２個）は、コンテンツ数設定値１１１（３個）を下回っているため、情報比較手段１０５は、何もアクションを起こさない。
【００４３】
この後、フォルダＦ１に新たにコンテンツ２個を追加記録した場合、フォルダ内コンテンツ数が４個となる。情報比較手段１０５は、フォルダＦ1内のコンテンツ数が３個を上回ったことを自動検出し、そのことをユーザーに通知するために、フォルダ状態表示手段１０６に対して、通知の指示を出力する。フォルダ状態表示手段１０６は、情報比較手段１０５からの通知指示によりユーザーに対し、フォルダＦ１のコンテンツ数が設定値を上回ったことを示す図５のような画像を生成する。
【００４４】
ユーザはこのような画像を参照することにより、コンテンツ数が所定数になったフォルダを例えばディスクドライブ３５のディスク１０のような他の記録媒体に移動できるので、第１の記録再生装置を有効に使用することができる。
【００４５】
第４に、特定情報として、フォルダ時間及びデータ量を設定し通知を行う場合を説明する。ここでフォルダ時間は、フォルダが使用されていない時間ではなく、フォルダが作成されてから現在までの経過時間を示す。
【００４６】
ユーザは例えばＴＶモニタに表示された図８のような特定情報設定画面を参照しながら、キー入力部１１を用いて、フォルダＩＤをここではＦ１、フォルダ時間を例えば２．０ヶ月、フォルダに記録される総データ量を例えば３．０ｈ以下として入力する。このように本実施形態では「以下」を設定することもできる。更にユーザは、フォルダ時間及びデータ量のチェック欄、更に画面左上のＡＮＤのチェック欄にチェックを記入する。これによりフォルダ時間設定値及びデータ量設定値を同時に満足するフォルダが検索される。特定情報記憶手段１０４はユーザから入力されたフォルダ時間及びデータ量を、特定情報テーブル１００にフォルダ時間設定値１０９及びデータ量設定値１１０として格納しチェックフラグ１０９ａ、１１０ａ、１０４ａを立てる。
【００４７】
情報比較手段１０５は、管理情報テーブル９０に格納されているフォルダＦ１の現在のフォルダ時間（フォルダが作成されたときからの経過時間）１.０ヶ月と、特定情報テーブル１００に設定されているフォルダＦ１のフォルダ時間設定値（２ヶ月）とを比較する。また情報比較手段１０５は、管理情報テーブル９０に格納されているフォルダＦ１の現在のデータ量（１ｈ）と、特定情報テーブル１００に設定されているフォルダＦ１のデータ量設定値（３.０ｈ以下）とを比較する。ここでフォルダＦ１の現在のデータ量（１ｈ）はデータ量設定値（３ｈ以下）を満足するが、フォルダ時間（１ヶ月）は特定情報設定値を下回っているため、情報比較手段１０５は、何もアクションを起こさない。
【００４８】
この後、フォルダＦ１を作成してからの経過時間が、２.０ヶ月を超え、フォルダのデータ量合計が２.５ｈになると、情報比較手段１０５はフォルダ状態表示手段１０６に通知の指示を出力する。つまり情報比較手段１０５は、特定情報テーブル１００に設定されているフォルダＦ１の経過時間設定値（２.０ヶ月）を過ぎても、フォルダＦ1のデータ量が、特定情報記憶手段１０４に記憶されている容量３.０ｈを超えていないことを自動検出し、そのことをユーザーに通知するため、フォルダ状態表示手段１０６に対して、通知の指示を出力する。フォルダ状態表示手段１０６は、情報比較手段１０５からの通知指示に応答して、図５のような画像表示データを生成する。なおこの場合、管理情報テーブル９０に記憶されているフォルダＦ1のフォルダ時間は、新たなコンテンツの入力によって、クリアされる事はないものとする。
【００４９】
ユーザはこのような画像を参照することにより、フォルダを作成して所定期間経過しても所定のデータ量にならないフォルダを例えば他のフォルダと統合し、フォルダを整理することができる。
【００５０】
第５に、第１の記録再生装置２０に格納された全フォルダを管理するためのフォルダ管理方法の一実施形態を説明する。
【００５１】
先ずユーザは、例えばＴＶモニタに表示された図９のような全フォルダ用の特定情報設定画面を参照しながら、キー入力部１１を用いて特定情報を設定値し、必要となるチェック欄にチェックを記入する。ここでは画面左上のＯＲチェック欄にチェックが記入されている。この結果、４つの特定情報のいずれか１つの設定値を超えるフォルダが、第１の記録再生装置２０から検索される。このようにして設定された特定情報に基づいて、特定情報記憶手段１０４は特定情報テーブル１００を作成する。尚、図９に示すような特定情報の設定値は、本装置のデフォルト値として設定してもよい。また、上記のように個別に特定情報が設定されたフォルダがある場合、そのようなフォルダ以外のフォルダについての特定情報が設定される。
【００５２】
図１０は本実施形態の動作を示すフローチャートである。
【００５３】
第１の記録再生装置２０に対して、コンテンツの記録、再生、削除等により、管理情報テーブル９０のデータ更新が発生すると（ステップ１０１でＹＥＳの場合）、変数ｎが１に設定され（ＳＴ１０３）、情報比較手段１０５はフォルダＦ１の管理情報（図３の管理情報テーブル９０参照）のそれぞれの値と、特定情報設定値（図２の特定情報テーブル１００参照）の対応する値とを比較する（ＳＴ１０４）。管理情報の中で、対応する特定情報設定値を超えているものが１つでもある場合（ステップ１０５でＹＥＳの場合）、当該フォルダが例えば図５のようにユーザに対して提示される（ＳＴ１０６）。
【００５４】
ステップ１０７では変数ｎに１がプラスされ、ステップ１０８では変数ｎが全フォルダ数Ｎ未満か判断される。変数ｎが全フォルダ数Ｎ未満であれば、フローはステップ１０４に移行し、次のフォルダの管理情報と特定情報が比較される。このようにして、ステップ１０４〜１０８の処理を繰り返すことにより、全フォルダの各管理情報が対応する特定情報と比較され、比較結果が例えば図５のようにユーザに対して提示される。この結果、第１の記録再生装置２０内の全フォルダが本発明に基づいて管理される。
【００５５】
尚、第１の記録再生装置２０に対して、コンテンツの記録、再生、削除等による管理情報テーブル９０のデータ更新がない場合（ステップ１０１でＮＯの場合）、ステップＳＴ１０２のように所定時間間隔が計測され、所定時間間隔ごとにステップ１０４〜１０８の処理が繰り返される。
【００５６】
次に本発明の第２の実施形態を説明する。
【００５７】
図１１は本実施形態に係る記録再生装置１ｂのフォルダ管理機能を説明するための機能ブロック図である。本実施形態では、ＨＤＤとＤＶＤ−ＲＡＭあるいはＤＶＤ−ＲＷ，ＤＶＤ−Ｒのような一方がリムーバブルな記憶媒体を持つ記録再生装置において、ＨＤＤ内に作成されたフォルダに対し、記録媒体へのコピー/移動等のアクションを起こさなくても、自動的に容量比較や、フォルダ生成からの時間経過計測等を行い、その結果がユーザーに通知される。
【００５８】
管理情報記憶手段１０３は、第１の記録再生装置に記録されている各フォルダの記録日時、データ量などの情報を管理情報テーブル９０に記憶する。記録可能容量検出記憶手段１０７は、第２の記録再生装置３５の記録媒体に記録可能な容量を検出し記憶する。特定情報記憶手段１０４は、記録可能容量検出記憶手段１０７により検出された第２の記録再生装置３５の記録媒体容量を上記データ量１１０として特定情報テーブル１００に記憶する。情報比較手段１０５は、管理情報記テーブル１００に記憶されている管理情報と、特定情報テーブル９０に記憶されている特定情報とを比較し、フォルダ状態表示手段１０６に結果出力の指示を出力する。フォルダ状態表示手段１０６は、情報比較手段１０からの指示により、ユーザーに対しフォルダの状態を通知する。
【００５９】
本実施形態では、例えば第２の記録再生装置３５の記録媒体１０の記録可能容量が２.５ｈ、またフォルダＦ１の管理データは、データ量＝２.０ｈとなっているものとする。
【００６０】
図１２は本実施形態の動作を示すフローチャートである。ここではフォルダのデータ量の管理（データ量設定値１１０との比較）について説明する。他の管理情報の管理は第１の実施形態と同様である。
【００６１】
第１の記録再生装置２０に対して、コンテンツの記録、再生、削除等により、管理情報テーブル９０のデータ更新が発生すると（ステップ２０１でＹＥＳの場合）、第２の記録再生装置２０内に記録媒体があるか判断される（ＳＴ２０２）。第２の記録再生装置２０内に記録媒体がある場合、記録可能容量検出記録手段１０７は、該記録媒体の記録可能容量（２.５ｈ）を検出する（ＳＴ２０３）。特定情報記憶手段１０４は検出された記録可能容量を特定情報テーブル１００にセットする。第２の記録再生装置２０内に記録媒体がない場合（ＳＴ２０２でＮＯの場合）、特定情報記憶手段１０４はデフォルト値を特定情報テーブル１００にセットする（ＳＴ２０５）。このデフォルト値は例えば第２の記録再生装置３５に適用できる記録媒体１０の記録可能時間つまり未記録の記録媒体の記録可能容量である。
【００６２】
情報比較手段１０５は、管理情報テーブル９０に設定されている管理情報（フォルダＦ１の現在のデータ量２.０ｈ）と、特定情報テーブル１００に設定されている特定情報（２.５ｈ）とを比較する（ＳＴ２０６）。ここではフォルダＦ１の容量（２．０ｈ）が、特定情報（２.５ｈ）を下回っているため、情報比較手段１０５は、何もアクションを起こさない。
【００６３】
ここで、フォルダＦ１に例えば、データ量１.５ｈの新たなコンテンツを追加記録した場合、フォルダＦ１のデータ量合計が３.５ｈとなる。情報比較手段１０５は、フォルダ1のデータ量が２.５ｈを上回ったことを検出し、そのことをユーザーに通知するため、フォルダ状態表示手段１０６に対して、通知の指示を出力する。フォルダ状態表示手段１０６は、情報比較手段１０５からの通知指示により対象フォルダに対してアクションを起こす（ＳＴ２０８）。つまり例えば図５のようにフォルダＦ１の色等が変化するようにフォルダＦ１の表示形式を変更する。これによりユーザーがコンテンツの再生又は記録を行う際にリモコン１１の例えばメニューボタンを押すと、フォルダＦ１のデータ量が設定値（２.５ｈ）を上回っていることがＴＶモニタに表示される。
【００６４】
本実施形態によればユーザは、フォルダ内コンテンツを第２の記録再生装置３５の記録媒体１０に移動またはコピーするための適切な時期、あるいはフォルダ内全コンテンツを記録媒体１０に移動またはコピーできるのはどのフォルダなのかをユーザに自動的に通知することができる。また、フォルダ作成後、設定された時間経過したが、第２の記録再生装置の記録媒体の容量に達していないことを検出し、通知することができる。尚、本実施形態の場合、特定情報としてフォーマットの一致を設定してもよい。その場合、記憶可能容量検出記憶手段１０７はフォーマット検出手段を有し、記録媒体１０のフォーマットを検出する。そして、情報比較手段１０５及びフォルダ状態表示手段１０６により、どのフォルダまたはコンテンツのデータフォーマットが記録媒体１０のフォーマットに一致するかがユーザに通知される。
【００６５】
次に本発明の第３の実施形態を説明する。
【００６６】
図１３は本実施形態に係る記録再生装置のフォルダ管理機能を説明するための機能ブロック図である。以下、フォルダのデータ量の管理（データ量１１０との比較）についてのみ説明する。他の管理情報の管理は第１の実施形態と同様である。
【００６７】
管理情報記憶手段１０３は、第１の記録再生装置２０に記録されている各フォルダの記録時間、データ量などの情報を管理情報テーブル９０に記憶する。記録可能容量検出記憶手段１０７は、第２の記録再生装置２０の記録媒体１０に記録可能な容量を検出し記憶する。選択手段１１３は、予め用意された所定容量１１５、自動検出された記録媒体の記憶可能容量値、ユーザーがキー入力部１１から任意に入力した容量のうちの１つを選択する。ここで所定容量１１５は例えば未使用の記録媒体１０の記録容量である。特定情報記憶手段１０４は、選択手段で選択された特定情報を特定情報テーブル１００に記憶する。情報比較手段１０５は、管理情報テーブル９０に記憶されている管理データと、特定情報テーブル１００に記憶されている特定情報とを比較し、フォルダ状態表示手段１０６に結果出力の指示を出力する。フォルダ状態表示手段１０６は、情報比較手段からの指示により、ユーザーに対しフォルダの状態を通知する。
【００６８】
本実施形態では、選択手段１１３がどの入力を選択するか、キー入力部１１からの入力情報により設定される。これにより、予め用意された所定容量１１５、記録可能容量検出記憶手段１０７に記憶されている記録媒体１０の記憶可能容量値、キー入力部１１からのユーザーデータのうち、どれを選択手段１１３にて選択するかが決定する。その後は、第１及び第２の実施形態と同等の動作を行う。
【００６９】
【発明の効果】
以上説明したように本発明によれば、記録装置に記録したデータを管理するためのフォルダに関する管理情報が、ある決められた条件に合致した場合に、それを検出及びユーザに通知することにより、情報管理を容易にすることができる。
【図面の簡単な説明】
【図１】本発明が適用される録画再生装置の構成を示すブロック図である。
【図２】本発明の第１の実施形態に係る記録再生装置１ａのフォルダ管理機能を説明するための機能ブロック図の一例である。
【図３】管理情報記憶手段１０３により管理される管理情報テーブル９０の構成例を示す。
【図４】特定情報設定画面の一例を示す図である。
【図５】フォルダ一覧表示画面の一例を示す図である。
【図６】特定情報設定画面の一例を示す図である。
【図７】特定情報設定画面の一例を示す図である。
【図８】特定情報設定画面の一例を示す図である。
【図９】全フォルダ用の特定情報設定画面の一例を示す図である。
【図１０】本発明の第２実施形態の動作を示すフローチャートである。
【図１１】第２実施形態に係る記録再生装置１ｂのフォルダ管理機能を説明するための機能ブロック図である。
【図１２】第２実施形態の動作を示すフローチャートである。
【図１３】本発明の第３施形態に係る記録再生装置のフォルダ管理機能を説明するための機能ブロック図である。
【符号の説明】
１０…光ディスク、２０…ハードディスクドライブ、５２…アナログデジタルコンバータ、７５…インターフェース、７７…デジタルアナログコンバータ、１００…特定情報テーブル。
【図１】
2004213060.tif 000003
【図２】
2004213060.tif 000004
【図３】
2004213060.tif 000005
【図４】
2004213060.tif 000006
【図５】
2004213060.tif 000007
【図６】
2004213060.tif 000008
【図７】
2004213060.tif 000009
【図８】
2004213060.tif 000010
【図９】
2004213060.tif 000011
【図１０】
2004213060.tif 000012
【図１１】
2004213060.tif 000013
【図１２】
2004213060.tif 000014
【図１３】
2004213060.tif 000015